(57)【特許請求の範囲】
【請求項１】
一端に配送物挿入用開口を有し他端を有底とした封筒本体と、該封筒本体の開口縁に連成した封止フラップとを備える紙製封筒において、上記封筒本体と封止フラップとから成る封筒全体を、両面に凹凸を施した両面エンボス紙と、該両面エンボス紙の片面に貼付けられた坪量１００〜１４０ｇ／平方メートルの厚く剛性を有する外紙と、同両面エンボス紙の他の片面に貼付けられた坪量３０〜７０ｇ／平方メートルの薄く柔軟性を有する内紙とから成る三層構造の緩衝紙で構成すると共に、上記封止フラップにおける両面エンボス紙の他の片面側の凹凸を覆う内紙を案内として、配送物を封筒本体内に挿入するように構成したことを特徴とする紙製封筒。
【発明の詳細な説明】
【技術分野】
【０００１】
本発明は配送物を保護するために緩衝性を付与した紙製封筒に関する。
【背景技術】
【０００２】
特許文献１の従来技術の欄には、配送物を保護するために緩衝性を付与した封筒として、クラフト紙から成る外紙の内面に、合成樹脂製のエアークッション材を貼付した封筒が記載されているが、この封筒は製造工程が煩雑であり、又合成樹脂製のエアークッション材を用いているためリサイクルに供するには分離手間を要する問題、焼却処分時の環境汚染の問題を有している。
【０００３】
上記問題の解決手段として特許文献１には、外紙に、エンボス加工を施した内紙を貼付して形成した二層構造の緩衝紙により形成した、紙製の封筒が開示されている。
【特許文献１】特開２００１−１９９４４９号公報
【発明の開示】
【発明が解決しようとする課題】
【０００４】
而して上記特許文献１においては、外紙に、エンボス加工を施した内紙（エンボス紙）を貼付して封筒を形成しているため、封筒本体と封止フラップの内面側にエンボス紙の無数の凹凸が存在する構造になり、該封筒に配送物を差し入れる際に、該配送物が上記内面のエンボス紙の凹凸に引っかかり差し入れ難くする問題、又例えばビデオテープやＣＤケース等尖った角を有する配送物である場合には、該角が上記エンボス紙の凹凸に引っかかりこれを損傷し、ひいては封筒を裂断してしまう問題を有している。
【０００５】
又配送物が枚葉紙である場合には、枚葉紙の先端部が上記エンボス紙の凹凸に引っかかり折れ曲がりを来たす問題を有している。
【０００６】
更に封筒の挿入用開口を封止するフラップの内面（接着面）にエンボス紙の凹凸が無数に存在するため、該フラップによる封止不全を招く懸念を有している。
【課題を解決するための手段】
【０００７】
本発明は特許文献１における封筒内面をエンボス紙で形成した封筒の問題点を払拭し、封筒内に配送物を円滑に差し入れることができる効果を享受しながら、エンボス紙の凹凸群に均一に面圧が作用して緩衝効果を向上する紙製封筒を提供するものであり、更には従来例が有するリサイクル性の問題、焼却処分時の環境汚染の問題を解消する紙製封筒を提供するものである。
【０００８】
その手段として、一端に配送物挿入用開口を有し他端を有底とした封筒本体と、該封筒本体の開口縁に連成した封止フラップとを備える紙製封筒において、上記封筒本体と封止フラップとから成る封筒全体を両面エンボス紙の片面に外紙を貼付し且つ他の片面に内紙を夫々貼付した三層構造の緩衝紙で構成する。
【０００９】
上記紙製封筒によれば、配送物が内紙に案内されて円滑に差し入れることができると共に、内紙に受けた配送物による面圧をエンボス紙の凹凸群に均一に伝え、緩衝効果を向上することができ、配送物に対し内紙によりエンボス紙の凹凸を良好に保護することができる。
【００１０】
又封止フラップを内紙によって封筒本体の外面に密着せる面接着が可能であり、封止を健全に行うことができる。
【００１１】
上記外紙を剛性の高い厚紙で形成し、内紙を柔軟性を有する薄紙で形成し、外的衝撃に対しては強く、配送物に対しては柔接触し、更に内紙で受けた面圧をエンボス紙の凹凸群に伝達する上記作用効果が適切に発揮できる。
上記外紙としては坪量１００〜１４０ｇ／平方メートルの厚く剛性を有するクラフト紙を用い、上記内紙としては坪量３０〜７０ｇ／平方メートルの薄く柔軟性を有するクラフト紙を用いる。
【００１２】
又上記封筒本体及び封止フラップに封筒全体を箱形にするための折り線を設け、配送物に応じ平形と箱形に併用できる構造にする。
【発明を実施するための最良の形態】
【００１３】
以下、本発明を実施するための最良の形態を図１乃至図７に基づき説明する。
【００１４】
図１乃至図５に示すように、本発明は一端に配送物挿入用開口１を有し他端を底２とした封筒本体３と、該封筒本体３の開口縁４に連成した封止フラップ５とを備える紙製封筒において、上記封筒本体３と封止フラップ５とから成る封筒全体をエンボス紙６の片面に外紙７を貼付し且つ他の片面に内紙８を夫々貼付した三層構造の緩衝紙で形成したものである。
【００１５】
よって封筒本体３は表紙１０と裏紙１１を有するが、本発明においてはこの表紙１０と裏紙１１と両者の貼付片１２を上記三層構造の緩衝紙で形成し、同様に封止フラップ５全体を上記三層構造の緩衝紙で形成したものである。換言するとフラットな外紙７と内紙８間にエンボス紙６をサンドイッチした緩衝紙で封筒全体を構成したものである。
【００１６】
好ましくは図３に示すように、上記外紙７を剛性の高い厚紙で形成し、内紙８を柔軟性を有する薄紙で形成し、外的衝撃に対しては強く、配送物に対しては柔接触し、更に内紙８で受けた面圧をエンボス紙６の凹凸６ａ群に伝達する構成とする。
【００１７】
又上記封筒本体３及び封止フラップ５に封筒全体を箱形にするための折り線１３ａ、１３ｂ、１３ｃを設け、配送物に応じ平形と箱形に併用できる構造にする。
【００１８】
図１の展開図に示すように、上記封筒本体３の表紙１０を形成する上記三層構造の緩衝紙と、裏紙１１を形成する上記三層構造の緩衝紙を平形封筒形成用折り線９ａを介して連成し、即ち表紙１０の下辺に同折り線９ａを介して裏紙１１を連成する。
【００１９】
更に上記三層構造の緩衝紙から成る表紙１０の左右側辺より平形封筒形成用折り線９ｂを介して貼付片１２を夫々連成し、更には上記表紙１０を形成する緩衝紙と封止フラップ５を平形封筒形成用折り線９ｃを介して連成する。即ち表紙１０の上辺に同折り線９ｃを介して封止フラップ５を連成する。
【００２０】
そして図２に示すように、上記表紙１０と裏紙１１を折り線９ａにより折り重ね、該折り重ねた上記裏紙１１の外面側に上記貼付片１２を折り線９ｂにより折り重ねつつ内紙８を以って接着し、よって図２、図３に示すように、一端に配送物挿入用開口１を有し他端を底２とした平形の封筒本体３を形成し、該配送物挿入用開口１より比較的薄い配送物を紙製封筒内に差し入れる構成とする。
【００２１】
更に封止フラップ５を該折り線９ｃにより封筒本体３の外面側に折り重ねて内紙８を以って接着し、配送物挿入用開口１を封止できるようにする。配送物は上記内紙８を案内として封筒内に挿入される。
【００２２】
上記貼付片１２と封止フラップ５は図１の展開図に示す如く、遊端へ向け収斂せる台形形状に形成し、上記接着を容易にする。
【００２３】
上記エンボス紙６は、両面から半球状のエンボス形成型によって圧迫して両面に凹凸６ａを施した既知の両面エンボス紙であり、クラフト紙から成るエンボス紙６を用いる。
【００２４】
又上記外紙７と内紙８をクラフト紙で形成する。好ましくは外紙７を段ボールのライナー原紙で形成し、内紙８をクラフト紙で形成する。
【００２５】
よって封筒全体を形成する緩衝紙、即ち封筒本体３を形成する表紙１０と裏紙１１と貼付片１２と、封止フラップ５はパルプから成る紙製である。
【００２６】
図３に示すように、上記外紙７と内紙８は上記両面エンボス紙６の各凹凸６ａの頂面６ｂに夫々接着剤を介して貼付する。
【００２７】
好ましくは、上記外紙７を剛性の高い厚紙で形成し、内紙８を柔軟性を有する薄紙で形成し、上記エンボス紙６の片面に外紙７を、他の片面に内紙８を夫々貼付し、内面側が内紙８から成り、外面側が外紙７から成り、該内紙８と外紙７間にエンボス紙６を介在した三層構造の緩衝紙から成る紙製封筒を形成する。
【００２８】
上記外紙７としては坪量１００〜１４０ｇ／平方メートルの厚く剛性を有するクラフト紙を用い、上記内紙８としては坪量３０〜７０ｇ／平方メートルの薄く柔軟性を有するクラフト紙を用いる。本実施例においては、外紙７としては坪量１２０ｇ／平方メートルの厚く剛性を有する上記ライナー原紙を用い、上記内紙８としては坪量５０ｇ／平方メートルの薄く柔軟性を有するクラフト紙を用いている。
【００２９】
上記剛性を有する厚紙から成る外紙７によって配送物を外面からの衝撃から保護し、柔軟性を有する内紙８によって配送物に柔接触して保護する。
【００３０】
上記の如く、封筒全体を紙製とすることにより、該封筒全体を古紙としてリサイクルに供することができ、又容易に焼却処分することができる。
【００３１】
又図１、図２、図４乃至図７に示すように、上記封筒本体３及び封止フラップ５に封筒全体を箱形にするための箱形封筒形成用の折り線１３ａ、１３ｂ、１３ｃを設けて嵩高の配送物に対応できる構成にする。
【００３２】
詳述すると、上記表紙１０と裏紙１１の平形封筒形成用折り線９ａの上下に間隔を置いて同折り線９ａを中心線とする二本の箱形封筒形成用折り線１３ａを設け、両折り線１３ａ間に底襠１４ａを形成できるようにする。
【００３３】
又上記左右貼付片１２と上記表紙１０の平形封筒形成用折り線９ｂの左右に間隔を置いて同折り線９ｂを中心線とする二本の箱形封筒形成用折り線１３ｂを設け、両折り線１３ｂ間に左右横襠１４ｂを形成できるようにする。
【００３４】
又上記平形封筒形成用折り線９ｃの上部の封止フラップ５基端に間隔を置いて箱形封筒形成用折り線１３ｃを設け、上襠１４ｃを形成できるようにする。この場合、平形封筒形成用折り線９ｃが箱形封筒形成用折り線１３ｃを兼ねる。
【００３５】
図６、図７に示すように、上記折り線１３ａ、１３ｂ、１３ｃに従い折曲することにより、箱形封筒を形成し、書籍やビデオテープやＣＤケース等の厚みを有する配送物の封入配送を可能とする。即ち平形封筒と箱形封筒を形成可能とする。
【００３６】
上記構造の封筒は平滑な内紙８の案内により配送物の円滑な差し入れを可能とし、該差し入れに際し、内紙８がエンボス紙６の凹凸６ａを保護しているので、同凹凸６ａの損傷を有効に防止できる。
【００３７】
又上記内紙８に受けた配送物による面圧をエンボス紙６の凹凸６ａ群に均一に伝え、緩衝効果を向上することができ、配送物に対し内紙８によりエンボス紙６の凹凸６ａを良好に保護することができる。
【００３８】
又外紙７を厚く、内紙８を薄くする構成により、外的衝撃に対しては強く、配送物に対しては柔接触し、更に内紙８で受けた面圧をエンボス紙６の凹凸６ａ群に良好に伝達することができ、緩衝効果を高める。
【００３９】
又封止フラップ５を内紙８によって封筒本体３の外面に密着せる面接着が可能であり、封止を健全に行うことができる。
【図面の簡単な説明】
【００４０】
【図１】本発明に係る紙製封筒の展開図。
【図２】同組み立て状態を示す平形紙製封筒の斜視図。
【図３】同紙製封筒の断面図と要部拡大断面図。
【図４】同紙製封筒の正面図。
【図５】同背面図。
【図６】同紙製封筒を箱形にした状態を示す斜視図。
【図７】同断面図。
【符号の説明】
【００４１】
１…配送物挿入用開口、２…底、３…封筒本体、４…開口縁、５…封止フラップ、６…エンボス紙、６ａ…凹凸、６ｂ…頂面、７…外紙、８…内紙、９ａ，９ｂ，９ｃ…平形封筒形成用折り線、１０…表紙、１１…裏紙、１２…貼付片、１３ａ，１３ｂ，１３ｃ…箱形封筒形成用折り線、１４ａ…底襠、１４ｂ…横襠、１４ｃ…上襠。
【図１】
0004657952.tif 000002
【図２】
0004657952.tif 000003
【図３】
0004657952.tif 000004
【図４】
0004657952.tif 000005
【図５】
0004657952.tif 000006
【図６】
0004657952.tif 000007
【図７】
0004657952.tif 000008